(57)【特許請求の範囲】
【請求項１】
放射線源の設置される部屋を有する建物のコンクリートの外面を形成する型枠の内面にボロンを含有した合成樹脂により形成された可撓性を有するシートを貼り付けておいてから型枠内に生コンクリートを打設することによってコンクリートとコンクリートの外面に結合された上記シートとによる中性子線遮蔽構造体を構築したことを特徴とする中性子線遮蔽構造体の構築方法。
【請求項２】
上記シートとして、コンクリートの外面に結合される面に突起を備えたものを用いたことを特徴とする請求項１に記載の中性子線遮蔽構造体の構築方法。
【発明の詳細な説明】
【技術分野】
【０００１】
本発明は、建物内の放射線源から放射される中性子線の建物外への漏洩を防止する中性子線遮蔽構造体の構築方法に関する。
【背景技術】
【０００２】
癌診断を行うＰＥＴ施設、癌治療を行う医療用放射線照射施設、加速器施設、アイソトープ貯蔵施設、ウラン処理施設、原子炉施設などの放射線を扱う建物においては、中性子線遮蔽構造体により放射線源の設置される部屋を構築することによって、部屋外への中性子線の漏洩防止を図っている。中性子線の遮蔽材料としては、コンクリート、ボロン（硼素）、カドミウムなどが知られている（例えば、特許文献１等）。ボロンを含有した中性子遮蔽材としてのゴムシート（例えば、特許文献１等）や、ボロンを含有した水硬性材料により形成された中性子線遮蔽構造体も知られている（例えば、特許文献２等）。
【特許文献１】特開昭５７−１７３７９５号公報
【特許文献２】特開平９−１３３７９０号公報
【発明の開示】
【発明が解決しようとする課題】
【０００３】
ボロン原子核の中性子吸収断面積は、熱中性子に対しては大きいが、高速中性子に対しては小さい。ボロンを含有した構成の水硬性材料を用いて所定厚さの中性子線遮蔽構造体としてのコンクリートを構築すれば、高速中性子がコンクリートの厚さによってエネルギーを失って熱中性子となり、熱中性子がボロンにより吸収されるので、中性子を効率的に遮蔽できると考えられる。しかしながら、所定厚さの中性子線遮蔽構造体を構築するためには、コンクリート組成物の量に対して添加するボロンの量も多くなり、コスト高となる。一方、一般的にシートは厚さが薄いので添加するボロンの量も少なくてすむが、高速中性子がシートの厚さによってエネルギーを失って熱中性子となることは少なく、シート単体では中性子を効率的に吸収できないと考えられる。
【課題を解決するための手段】
【０００４】
本発明の中性子線遮蔽構造体の構築方法は、放射線源の設置される部屋を有する建物のコンクリートの外面を形成する型枠の内面にボロンを含有した合成樹脂により形成された可撓性を有するシートを貼り付けておいてから型枠内に生コンクリートを打設することによってコンクリートとコンクリートの外面に結合された上記シートとによる中性子線遮蔽構造体を構築したことを特徴とする。上記シートとして、コンクリートの外面に結合される面に突起を備えたものを用いたことも特徴とする。
【発明の効果】
【０００５】
本発明の中性子線遮蔽構造体の構築方法によれば、シートにより中性子を効率的に吸収できる中性子線遮蔽構造体を簡単に構築できる。コンクリートの外面に結合される面に突起を備えたシートを用いることによって、コンクリートとシートとの結合を確実にできる。
【発明を実施するための最良の形態】
【０００６】
図１；図２は最良の形態を示し、図１は、中性子線遮蔽構造体の断面を示し、図２は、中性子線遮蔽構造体の構築方法を示す。図１；図２において、建物４の床の外面に設けられるシート７を床側シート７ａと表記し、建物４の壁の外面に設けられるシート７を壁側シート７ｂと表記し、建物４の屋上面に設けられるシート７を屋上側シート７ｃと表記する。図２において、（）付きの番号は施工順番を示し、打設によるコンクリート部分は点ハッチングで示す。
【０００７】
図１を参照し、中性子線遮蔽構造体１の構成を説明する。中性子線遮蔽構造体１は、放射線源２の設置された部屋３を有する建物４のコンクリート５と、コンクリート５の外面６に設けられたシート７とにより形成される。シート７は外面６を覆うように設けられる。コンクリート５は、セメントに、水、及び、川砂，海砂，山砂，砕石，砕砂などから得られる骨材とを混練したコンクリート（以下「普通のコンクリート」という）により形成される。シート７は、ボロンを含有した合成樹脂、例えば、ボロン化合物Ｂ４Ｃを含有した合成樹脂により形成された、遮水性、可撓性を有するシートである。
【０００８】
図２を参照し、中性子線遮蔽構造体１の構築方法を説明する。まず、建物敷地の地盤１０を掘削し、掘削面１１を平坦にならして、掘削面１１上に生コンクリートを打設してコンクリート１２を形成する（（１））。コンクリート１２の上に建物４の壁の外壁面を形成する外壁面用型枠１３を設置する（（２））。外壁面用型枠１３の内面１３ａには予め壁側シート７ｂを両面接着テープなどで貼り付けておく。外壁面用型枠１３は建物４の屋上面ｂの位置まで建てる。コンクリート１２の上に建物４の床側シート７ａを敷く（（３））。この際、床側シート７ａの端部側を壁側シート７ｂの面に沿って立ち上げて床側シート７ａの端部側の面と外壁側シート７ｂの面とを互いに重ね合わせておく。コンクリート１２の上に敷いた床側シート７の上に生コンクリートを打設し、この生コンクリートを固化させたコンクリート１４を形成する（（４））。部屋３の壁の内面を形成する内壁面用型枠１５を設置する（（５））。部屋３の天井面ｃの位置に天井面を形成する天井面用型枠１６を設置する（（６））。外壁面用型枠１３と内壁面用型枠１５との間、及び天井面用型枠１６の上面に、普通の生コンクリートを打設する（（７））。この生コンクリートは、建物４の屋上面ｂの位置まで打設する。この生コンクリートを固化させることにより建物４の壁コンクリート１７と天井コンクリート１８とを形成する。外壁面用型枠１３と内壁面用型枠１５とを撤去し、天井コンクリート１８の上面である屋上面にシート７により形成された屋上側シート７ｃ（図１参照）を貼り付け、屋上側シート７ｃの端部側の面と壁側シート７ｂの上端側の面とを互いに重ね合せて接合する。また、地面１０より下の壁の横部分２０に土を埋め戻す。
【０００９】
以上により、部屋３を有する建物４のコンクリート５と、コンクリート５の外面６に設けられたシート７とを備えた中性子線遮蔽構造体１が構築される（図１参照）。尚、中性子線遮蔽構造体１の厚さは、例えば、１５０ｃｍ程度に形成される。
【００１０】
中性子線遮蔽構造体１により、部屋３に設置された放射線源２から放射される中性子線がコンクリート５によって減速されて熱中性子となり、この熱中性子がシート７中のボロンによって吸収され、中性子線の建物４外への漏洩防止効果を高めることができる。
【００１１】
最良の形態の中性子線遮蔽構造体１によれば、コンクリート５を普通のコンクリートで形成できてコストを安価にできるとともにシート７により中性子を効率的に吸収できる中性子線遮蔽構造体１を得ることができる。また、シート７は遮水シートとして機能し、地中の水が建物の部屋３に浸透することを防止する。よって、水がコンクリート５を通って部屋３に漏れ、その水が放射能により汚染されることを防止できるとともに、部屋３から外部に放射能汚染された液状の物質が漏洩することを防ぐことができる。。
【００１２】
コンクリート５による壁を形成してから当該コンクリート５の外壁面（外面６）に接着剤によりシート７ｂを貼り付けるようにして中性子線遮蔽構造体１を構築してもよいが、このようにコンクリート５による壁を形成してから外壁面にシート７ｂを貼るというやり方は、作業性が悪い。一方、上述した構築方法のように、放射線源２の設置される部屋３を有する建物４のコンクリート５の外壁面を形成する型枠１３の内面１３ａにボロンを含有したシート７ｂを設置しておいてから型枠１３内に生コンクリートを打設することによってコンクリート５とコンクリート５の外壁面に結合されたシート７ｂとによる中性子線遮蔽構造体１を構築するようにすれば、中性子線遮蔽構造体１を簡単に構築できる。
【００１３】
尚、コンクリート５を形成してから当該コンクリート５の外壁面に接着剤によりシート７ｂを貼り付けるというやり方の場合、コンクリート５の外壁面とシート７ｂとを広い範囲において長時間確実に結合させにくい。その理由は、施工のばらつきに伴う接着剤のむらや経年変化による接着効果の喪失などがあるからである。また、外壁面用型枠１３の内面１３ａにボロンを含有したシート７ｂを設置しておいてから外壁面用型枠１３内に生コンクリートを打設することによってコンクリート５の外壁面とシート７ｂとを結合する方法においても、コンクリート５の外壁面と結合させるシート７ｂの面が平滑面であれば、コンクリート５の外壁面とシート７ｂとを広い範囲において長時間確実に結合させにくいと考えられる。そこで、図３（ａ）に示すように、外壁面用型枠１３の内面１３ａにあらかじめ設置するシート７ｂとして、コンクリート５の外壁面に結合される面７ｕに突起５０を備えたものを用いるようにすれば、突起５０によりコンクリート５とシート７ｂとの結合を確実にでき、シート７ｂの剥がれ落ちなどを防止できる。図３（ｂ）に示すように、外壁面用型枠１３の内面１３ａにあらかじめ設置するシート７ｂとして、コンクリート５の外壁面に結合される面７ｕにコンクリート５と係合する例えば釘頭のような断面形状に形成された係合突起５１を備えたものを用いるようにすれば、係合突起５１によりコンクリート５とシート７ｂとの結合をより確実にできる。また、建物４の屋上面を形成する図外の屋上面用型枠の内面に予め屋上側シート７ｃを両面接着テープなどで貼り付けておき、この屋上面用型枠を天井面用型枠１６の上面より鉄筋などで支えて屋上面の位置に設置しておいてから、この屋上面用型枠、外壁面用型枠１３、内壁面用型枠１５、天井面用型枠１６で囲まれた空間に生コンクリートを一度に打設するようにしてもよい。この場合に、屋上側シート７ｃとして、コンクリート５の屋上面（外面６）に結合される面に突起５０や係合突起５１を備えたものを用いれば、突起５０や係合突起５１によりコンクリート５と屋上側シート７ｃとの結合を確実にできる。
【産業上の利用可能性】
【００１４】
放射線源の設置された部屋を建物の内側に有する場合においては、部屋を区画するコンクリートの外面にボロンを含有したシート７を設ければよい。
【図面の簡単な説明】
【００１５】
【図１】中性子線遮蔽構造体の縦断面図（最良の形態）。
【図２】中性子線遮蔽構造体の施工説明図（最良の形態）。
【図３】突起によるコンクリートとシートとの結合状態を示す断面図（最良の形態）。
【符号の説明】
【００１６】
１  中性子線遮蔽構造体、２  放射線源、３  部屋、４  建物、
５  コンクリート、６  コンクリートの外面、７  シート、
１３  外壁面用型枠（型枠）、１３ａ  外壁面用型枠の内面、
５０  突起、５１  係合突起（突起）。
【図１】
0004586199.tif 000002
【図２】
0004586199.tif 000003
【図３】
0004586199.tif 000004